(57)【特許請求の範囲】
【請求項１】
環状筒部と台座部を有する電気絶縁性のコアカバーでトロイダルコアを環状に覆うとともに、前記環状筒部の上から巻回したコイル巻線のリード線を前記台座部に形成されたガイド孔に通して位置決め固定することにより、前記台座部の下に所定長さの実装用端子を形成したトロイダル型コイル装置において、
前記コアカバーには、上記リード線を上記ガイド孔の手前でクランク状に折曲誘導する突起部が形成され、
前記台座部には、前記リード線を予備的に折曲成形するフォーミングガイドが形成され、
当該フォーミングガイドには、上記リード線が側方から導入される溝が形成されているとともに、その溝の一方の側壁面にはテーパ状の折曲成形面が形成されている
ことを特徴とするトロイダル型コイル装置。
【請求項２】
請求項１の装置において、前記溝の他方の側壁面には側方に向けてテーパ状に拡開する切欠部が形成されていることを特徴とするトロイダル型コイル装置。
【請求項３】
請求項１または２の装置において、前記リード線を前記台座部の側方から前記ガイド孔に導入させるガイド溝部を形成したことを特徴とするトロイダル型コイル装置。
【請求項４】
請求項１〜３のいずれかの装置において、前記コアカバーに、前記リード線を前記突起部側へ押圧偏寄させる突形状部を形成したことを特徴とするトロイダル型コイル装置。
【発明の詳細な説明】
【０００１】
【発明の属する技術分野】
本発明はトロイダル型コイル装置、とくに、トロイダルコアを電気絶縁性の台座付コアカバーで覆ってコイル巻線を施すタイプのものに関し、たとえば電源やノイズフィルタなどの各種電子機器のインダクタンス部品に使用される。
【０００２】
【従来の技術】
トロイダル型コイル装置は、図２の（Ａ）（Ｂ）（Ｃ）に示すように、環状筒部３と台座部４を有する電気絶縁性のコアカバー２でトロイダルコア１を環状に覆うとともに、上記環状筒部３の上から巻回したコイル巻線のリード線５を上記台座部４に形成されたガイド孔４１に通して位置決め固定することにより、上記台座部４の下に所定長さの実装用端子を形成している。コアカバー２はトロイダルコア１を両面から半分ずつ覆うように分割形成されている。また、トロイダルコア１の内側空間部を直径方向に二分するセパレータ部３１を一体に有する。
【０００３】
【発明が解決しようとする課題】
上述した従来のコイル装置では、コイル巻線から引き出されたリード線５がそのまま台座部４のガイド孔４１に通されて位置決めされている。ガイド孔４１を通されたリード線５は、台座部４の下で所定長さの実装用端子を形成するために、その台座部４に接着剤６で固定されている。
【０００４】
しかしながら、接着剤６の使用は、接着剤のコストに加えて、その接着剤を注入し固化させる工程、さらには固化までの仮固定手段なども必要となるため、生産性を低下させ、かつコストを高くするという問題を生じることが判明した。
【０００５】
本発明は、以上のような問題に鑑みてなされたもので、その目的は、コイル巻線のリード線に対し、実装用端子として必要な位置決め精度を確保しながら、そのリード線の固定に接着剤を不要にして生産性向上およびコスト低減を可能にしたトロイダル型コイル装置を提供することにある。
【０００６】
【課題を解決するための手段】
前述した課題を解決するため、本発明の第１の手段は、環状筒部と台座部を有する電気絶縁性のコアカバーでトロイダルコアを環状に覆うとともに、前記環状筒部の上から巻回したコイル巻線のリード線を前記台座部に形成されたガイド孔に通して位置決め固定することにより、前記台座部の下に所定長さの実装用端子を形成したトロイダル型コイル装置において、
前記コアカバーには、上記リード線を上記ガイド孔の手前でクランク状に折曲誘導する突起部が形成され、
前記台座部には、前記リード線を予備的に折曲成形するフォーミングガイドが形成され、
当該フォーミングガイドには、上記リード線が側方から導入される溝が形成されているとともに、その溝の一方の側壁面にはテーパ状の折曲成形面が形成されている
ことを特徴とする。
【０００７】
上記手段によれば、ガイド孔に通されたリード線は、そのガイド孔によって横方向に位置決めされるとともに、そのガイド孔の手前でクランク状に折曲誘導されることにより縦方向への移動が係止固定されるようになる。これにより、コイル巻線のリード線に対し、実装用端子として必要な位置決め精度を確保しながら、そのリード線の固定に接着剤を不要にして生産性向上およびコスト低減を可能にするという目的が達成される。
そして、前記台座部に、前記リード線を予備的に折曲成形するフォーミングガイドを形成したこと、および前記フォーミングガイドは前記リード線が側方から導入される溝を形作り、その溝の一方の側壁面にはテーパ状の折曲成形面が形成されていることで、特別の治具を使用することなく、リード線をガイド孔の手前で所定の折曲形状に簡単かつ正確にフォーミングすることができるようになるとともに、リード線のフォーミングをさらに簡単かつ正確に行うことができるようになる。
【０００８】
第２の手段は、第１の手段において、前記溝の他方の側壁面には側方に向けてテーパ状に拡開する切欠部が形成されていることを特徴とする。これにより、リード線をフォーミングガイドに移動させる動作およびフォーミングされたリード線をフォーミングガイド外に移動させる動作を円滑に行うことができるようになる。
【０００９】
第３の手段は、第１または２の手段において、前記リード線を前記台座部の側方から前記ガイド孔に導入させるガイド溝部を形成したことを特徴とする。これにより、リード線をガイド孔の手前でクランク状に折曲成形（フォーミング）する作業と、その折曲成形されたリード線をガイド孔に通す作業とを、共に簡単かつ円滑に行わせることができるようになる。
【００１０】
第４の手段は、第１から３のいずれかの手段において、前記コアカバーに、前記リード線を前記突起部側へ押圧偏寄させる突形状部を形成したことを特徴とする。これにより、リード線の固定をさらに確実にすることができるとともに、リード線が台座部の側方へ逸脱するのを防ぐことができるようになる。
【００１３】
【発明の実施の形態】
図１の（Ａ）（Ｂ）は本発明によるトロイダル型コイル装置の一実施例を示す。同図に示すコイル装置の基本構造は、図２に示したものと同様、環状筒部３と台座部４を有する電気絶縁性のコアカバー２でトロイダルコア１を環状に覆うとともに、上記環状筒部３の上から巻回したコイル巻線のリード線５を上記台座部４に形成されたガイド孔４１に通して位置決め固定することにより、上記台座部４の下に所定長さの実装用端子を形成している。このコアカバー２はトロイダルコア１を両面から半分ずつ覆うように分割形成されている（図２参照）。また、トロイダルコア１の内側空間部を直径方向に二分するセパレータ部３１を一体に有する。このセパレータ部３１の両側にコイル巻線が施されて一次コイルと二次コイルを有するトランスが構成されている。このコアカバー２は樹脂成形により単一工程で形成可能である。
【００１４】
上述の構成に加えて、実施例のコイル装置では、上記コアカバー２に、上記リード線５を上記ガイド孔４１の手前でクランク状に折曲誘導する突起部４３が形成されている。この突起部４３はガイド孔４１の真上に覆い被さる位置に形成されている。このため、リード線５は、真っ直ぐな状態では上記突起部４３に遮られてガイド孔４１に通すことができず、あらかじめクランク状に折曲することではじめて、そのガイド孔４１に通すことができる。したがって、リード線５はその突起部４３と上記ガイド孔４１の間でクランク状に折曲させられている。
【００１５】
ガイド孔４１に通されたリード線５は、そのガイド孔４１によって横方向に位置決めされるとともに、そのガイド孔４１の手前でクランク状に折曲誘導されることにより縦方向への移動が係止固定されている。これにより、コイル巻線のリード線５に対し、実装用端子として必要な位置決め精度を確保しながら固定用の接着剤を不要にして、生産性向上およびコスト低減を達成している。
【００１６】
ガイド孔４１には台座部４の側方へ抜けるガイド溝部４２が通じている。このガイド溝部４２により、リード線５は台座部４の側方からガイド孔４１に押し込んで通すことができるようになっている。これにより、リード線５をガイド孔４１の手前でクランク状に折曲成形する作業と、その折曲成形されたリード線５をガイド孔４１に通す作業とを、共に簡単かつ円滑に行わせることができる。
【００１７】
セパレータ部３１にはリード線５を突起部４３側へ押圧偏寄させる突形状部４４が形成されている。これにより、リード線５と突起部４３の間に摩擦係止力が働くようになって、そのリード線５の位置決め固定がさらに確実になるとともに、リード線５が台座部４の側方へ逸脱するのを防ぐことができる。
【００１８】
台座部４にはリード線５を折曲成形するフォーミングガイド４５が形成されている。このフォーミングガイド４５はリード線５が側方から導入される溝を形作っている。その溝の一方の側壁面にはテーパ状の折曲成形面４６が形成されている。また、その溝の他方の側壁面には側方に向けてテーパ状に拡開する切欠部４７が形成されている。
【００１９】
このフォーミングガイド４５は次のように使用する。まず、リード線５を台座部４の側方からフォーミングガイド４５内に導入した後、図中に破線で示すようにリード線５をプリフォーム（予備折曲成形）する。このプリフォームの後、リード線５をフォーミングガイド４５から位置決め固定用のガイド孔４１に移動させる。これにより、特別の治具を使用することなく、リード線５をガイド孔４１の手前で所定の折曲形状に簡単かつ正確にフォーミングすることができる。
【００２０】
このとき、テーパ状の折曲成形面４６は、リード線５のフォーミングをさらに簡単かつ正確に行わせる良好な治具機能を形成する。また、テーパ状に拡開する切欠部４７は、リード線５をフォーミングガイド４５に移動させる動作およびフォーミングされたリード線５をフォーミングガイド４５外に移動させる動作をそれぞれ円滑にすることができる。
【００２１】
【発明の効果】
以上説明したように、本発明のトロイダル型コイル装置では、リード線を台座部に形成したガイド孔の手前でクランク状に折曲誘導する構成により、コイル巻線のリード線に対し、実装用端子として必要な位置決め精度を確保しながら、そのリード線の固定に接着剤を不要にして生産性向上およびコスト低減をはかることができる。
【図面の簡単な説明】
【図１】本発明によるトロイダル型コイル装置の一実施例を示す図で、（Ａ）は正面図、（Ｂ）は底面図である。
【図２】従来のトロイダル型コイル装置の構成を示す図で、（Ａ）は分解斜視図、（Ｂ）は正面図、（Ｃ）は底面図である。
【符号の説明】
１  トロイダルコア
２  コアカバー
３  環状筒部
３１  セパレータ部
４  台座部
４１  位置決め固定用のガイド孔
４２  ガイド溝部
４３  突起部
４４  突形状部
４５  フォーミングガイド
４６  テーパ状の折曲成形面
４７  テーパ状の切欠部
５  リード線
６  接着剤（従来）
【図１】
0004491130.tif 000002
【図２】
0004491130.tif 000003